(57)【要約】【課題】  本発明は、土木、建築、機械装置の設置時に使用するレーザー墨出し装置において、レーザーラインを水平方向に回転するために使用する回転微調機構に関するものである。  微調整操作を容易にするためには、ツマミの回転軸が回転ベースの径方向を向いていることと、ネジの進退量と回転ベース部材の回転角度の比が変化しない事を両立させることが課題となる。【解決手段】  回転ベース部材を、固定ベース部材に対して回転自在に支持し、該固定ベース部材の中心方向に向かって進退するごとく設けたネジ部材の先端に摺動部材を該ネジ部材に対して回動自在に設け、回転ベース部材に設けた曲面カムと該摺動部材を圧接するごとく付勢するスプリングを設け、摺動部材と曲面カムの係合により回転ベース部材を回転させるごとく構成した墨出し装置用回転微調機構を提供するものである。【選択図】  図２
2009074820.tif 000002
【特許請求の範囲】
【請求項１】
レーザー光源によるライン照射部と該ライン照射部の中心軸を鉛直に保つべき揺動機構を有する墨出し装置において、該揺動機構を支持する回転ベース部材を、支持脚を有する固定ベース部材に対して回転自在に支持し、該固定ベース部材の中心方向に向かって進退するごとく設けたネジ部材の先端に摺動部材を該ネジ部材に対して回動自在に設け、回転ベース部材に設けた曲面カムと該摺動部材を圧接するごとく付勢するスプリングを設け、摺動部材と曲面カムの係合により回転ベース部材を回転させるごとく構成した事を特徴とする墨出し装置用回転微調機構。
【発明の詳細な説明】
【技術分野】
【０００１】
本発明は、土木、建築、機械装置の設置時に使用するレーザー光源によるライン照射部と該ライン照射部の中心軸を鉛直に保つべき揺動機構を有する墨出し装置において、レーザーラインを水平方向に回転するために使用する回転微調機構に関するものである。
【背景技術】
【０００２】
近来、広く使用されるレーザー墨出し装置を使用する場合、垂直ラインの方向を決めるために墨出し装置を水平面内で回転する必要があるが、装置からラインが照射される壁までの距離が１０ｍ程度はなれていることが多い為、このラインの位置を移動するための回転角度は極めて微小なものとなり、調節には滑らかな回転が要求される。  また、調整用のネジのツマミが円周方向を向いているものは手袋を嵌めた状態でツマミの操作がやりにくいなどの欠点がある。
【０００３】
対策技術としては、回転レバーを用いてネジ先端の進退方向を９０度変換してツマミの軸方向を径方向にしたものがある。
【特許文献１】特開  ２００６‐１２５９９２  しかし、この方法ではネジの進退量とレバー（押し圧チップ）を介した回転部材（リング）の回転角度の比がレバー（押し圧チップ）の回転とともに変化してしまい一定の調整感覚を保つ事が出来ずに微妙な違和感を生じる。  回転角度が微妙な為この違和感は操作上の大きな課題となる。
【発明の開示】
【発明が解決しようとする課題】
【０００４】
本発明は上記背景の下に成立するものであり、ツマミの回転軸が回転ベースの径方向を向いていることと、調整感覚を一定に保ちに微妙な違和感を生じる事という条件を両立させることのできる墨出し装置用回転微調機構を提供するものである。
【課題を解決するための手段】
【０００５】
本発明の課題を解決するための手段は、レーザー光源によるライン照射部と該ライン照射部の中心軸を鉛直に保つべき揺動機構を有する墨出し装置において、該揺動機構を支持する回転ベース部材を、支持脚を有する固定ベース部材に対して回転自在に支持し、該固定ベース部材の中心方向に向かって進退するごとく設けたネジ部材の先端に摺動部材を該ネジ部材に対して回動自在に設け、回転ベース部材に設けた曲面カムと該摺動部材を圧接するごとく付勢するスプリングを設け、摺動部材と曲面カムの係合により回転ベース部材を回転させるごとく構成した墨出し装置用回転微調機構を提供するものである。
【発明の効果】
【０００６】
スプリングによって圧接された曲面カムと該摺動部材の係合によって回転する回転ベース部材の回転角度は曲面カムの形状によってネジ部材の回転による進退量に比例した任意の一定値に設定できるので調整感覚を一定に保ちに微妙な違和感を生じる事がない。
【発明を実施するための最良の形態】
【０００７】
本発明を実施するための最良の形態は、レーザー光源によるライン照射部と該ライン照射部の中心軸を鉛直に保つべき揺動機構を有する墨出し装置において、該揺動機構を支持する回転ベース部材を、支持脚を有する固定ベース部材に対して回転自在に支持し、該固定ベース部材の中心方向に向かって進退するごとく設けたネジ部材の先端に摺動部材を該ネジ部材に対して回動自在に設け、回転ベース部材に設けた曲面カムと該摺動部材を圧接するごとく付勢するスプリングを設け、摺動部材と曲面カムの係合により回転ベース部材を回転させるごとく構成した墨出し装置用回転微調機構である。  スプリングによって圧接された曲面カムと該摺動部材の係合によって回転する回転ベース部材の回転角度は曲面カムの形状によってネジ部材の回転による進退量に比例した任意の一定値に設定できる。
【実施例１】
【０００８】
以下図について本発明の１実施形態について説明する。
図１は、本発明の墨出し装置用回転微調機構の一実施形態の構造を示す側断面図であり、図２、図３はその作動状態を示す上断面図である。
図１、図２及び図３において、図示しない揺動機構を支持する回転ベース部材１を、支持脚を有する固定ベース部材２に対して回転自在に支持し、該固定ベース部材２の中心方向に向かって進退するごとく設けたネジ部材３の先端に摺動部材４を該ネジ部材３に対して回動自在に設け、回転ベース部材１に設けた曲面カム５と該摺動部材４を圧接するごとく付勢するスプリング６を設け、摺動部材４と曲面カム５の係合により回転ベース部材１を回転させるごとく構成している。  また、曲面カム５はネジ部材３の進退量と回転ベース部材１の回転角度が一定値で比例するごとく形成されている。  摺動部材４は固定ベース部材２の底面部７上で回転ベース部材１の上面部８の裏面との間に緩く挟まれた状態で回転方向を制限され、摺動自在に配置されている。  ９は固定ベース部材２の底面部７上に固着されてスプリング６の位置を保持する為の突起である。  尚、スプリング６は両端を密着巻きされた圧縮バネであることが望ましい。  １０は摺動部材４をネジ部材３に対する軸方向の移動を制限するストップリング、１１はでネジ部材３を外部から回転する為のツマミである。
【０００９】
上記のごとく構成された本発明の墨出し装置用回転微調機構の作用について図１、図２及び図３に基づいて説明する。
ツマミ１１によって外部からネジ部材３を回転するとネジ部材３の固定ベース部材２の中心方向に向かって進退する動きによって摺動部材４と曲面カム５の係合により回転ベース部材１を回転させることが出来る。  ネジ部材３が前進すれば摺動部材４が曲面カム５を押すことで回転ベース部材１を図２、図３において時計方向に回転させ、ネジ部材３が後退すればスプリング６の圧接力によって反時計方向に回転する。  この場合、曲面カム５の形状によってネジ部材３の進退量と回転ベース部材１の回転角度が一定値で比例するごとく回転する。  また、摺動部材４と曲面カム５はスプリング６の圧接力によって常に密着しているのでネジ部材３の回転に対していわゆるバックラッシュなしに回転するので、繰り返しの調整操作でも違和感が生じる事がない。  また、スプリング６は圧縮バネとしているため引っ張りバネのごとくフック部分が金属疲労によって破断するごとき故障を生ずる恐れがない。  
【００１０】
以上の説明で明らかなごとく、本発明の墨出し装置用回転微調機構は、ツマミの回転軸が回転ベースの径方向を向いていることと、ネジの進退量と回転ベース部材の回転角度の比が変化しない事を両立させている。  従って、調整感覚を一定に保ち、ネジ部材の回転に対して回転ベース部材がいわゆるバックラッシュなしに回転するので、繰り返しの調整操作でも違和感を生じる事がないので微調整操作を容易にすることが出来る。また、スプリング破断などの故障もないので、建築現場その他での作業能率の向上による産業上の効果は著しい。
【図面の簡単な説明】
【００１１】
【図１】本発明の一実施形態の構造を示す側断面図である。
【図２】本発明の一実施形態の作動状態を示す上断面図である。
【図３】本発明の一実施形態の作動状態を示す上断面図である。
【符号の説明】
【００１２】
１：回転ベース部材
２：固定ベース部材
３：ネジ部材
４：摺動部材
５：曲面カム
６：スプリング
７：底面部
８：上面部
９：突起
１０：ストップリング
１１：ツマミ
【図１】
2009074820.tif 000003
【図２】
2009074820.tif 000004
【図３】
2009074820.tif 000005